(57)【要約】【課題】  寝具等に使用されるクッション材を提供することを目的とする。【解決手段】  硬質又は半硬質ウレタン製のシート成形体にカマボコ型突条を長手方向及び横方向に多数形成し、長手方向のカマボコ型突条の列とその列に隣接する長手方向のカマボコ型突条の列をカマボコ型突条の長さの半分ずつずれて配置し、カマボコ型突条の表面に複数個のマッサージ用小突起を形成し、人体の腰椎が位置する個所にマッサージ効果増進部を設けたクッション材。【選択図】  図２
0003115978.tif 000002
【実用新案登録請求の範囲】
【請求項１】
硬質又は半硬質ウレタン製のシート成形体にカマボコ型突条（１、１、・・・）を長手方向及び横方向に多数形成し、長手方向のカマボコ型突条（１、１、・・・）の列とその列に隣接する長手方向のカマボコ型突条（１、１、・・・）の列をカマボコ型突条（１）の長さ（Ｌ）の半分（Ｌ／２）ずつずれて配置し、カマボコ型突条（１）の表面に複数個のマッサージ用小突起（２、２、・・・）を形成し、人体の腰椎が位置する個所にマッサージ効果増進部（Ｂ）を設けたことを特徴とするクッション材。
【請求項２】
マッサージ効果増進部（Ｂ）に軟質ウレタン製平板（６）を設け、軟質ウレタン製平板（６）の上にマッサージ用小突起（２、２、・・・）付きのカマボコ型突条（７）を設け、無負荷時にはカマボコ型突条（７）の頂部が隣接する通常部（Ｃ）のカマボコ型突条（１）の頂部よりもｈだけ高く、体重が加わったときには軟質ウレタン製平板（６）が圧縮されてカマボコ型突条（７）の頂部と通常部（Ｃ）のカマボコ型突条（１）の頂部がほぼ同じ高さになることを特徴とする請求項１記載のクッション材。
【請求項３】
カマボコ型突条（７、７）の中間において軟質ウレタン製平板（６）に分離線（８）を設けたことを特徴とする請求項２記載のクッション材。
【考案の詳細な説明】
【技術分野】
【０００１】  本考案はクッション材に関するものであり、例えば寝具等に使用されるクッション材を対象とする。
【背景技術】
【０００２】  人体は、就寝中、寝返りを打ったりして不規則な動きを繰り返す。そこで、寝具用クッション材の表面に多数の小突起（いぼ）を設け、人体の不規則な動きを利用して、人体にマッサージ効果を与えるクッション材が広く用いられる。
【考案の開示】
【考案が解決しようとする課題】
【０００３】  人体を構成する骨のうち、腰椎（腰の骨）は日中体重を支えているので負担が大きく、疲労がたまる傾向にある。そこで、本考案は、就寝時間を利用して、腰の骨に対するマッサージ効果を増進するクッション材を提供することを目的とする。
【課題を解決するための手段】
【０００４】  請求項１に記載されたクッション材に係る考案は、硬質又は半硬質ウレタン製のシート成形体にカマボコ型突条を長手方向及び横方向に多数形成し、長手方向のカマボコ型突条の列とその列に隣接する長手方向のカマボコ型突条の列をカマボコ型突条の長さの半分ずつずれて配置し、カマボコ型突条の表面に複数個のマッサージ用小突起を形成し、人体の腰椎が位置する個所にマッサージ効果増進部を設けたことを特徴とする。
請求項２に記載されたクッション材に係る考案は、マッサージ効果増進部に軟質ウレタン製平板を設け、軟質ウレタン製平板の上にマッサージ用小突起付きのカマボコ型突条を設け、無負荷時にはカマボコ型突条の頂部が隣接する通常部のカマボコ型突条の頂部よりもｈだけ高く、体重が加わったときには軟質ウレタン製平板が圧縮されてカマボコ型突条の頂部と通常部のカマボコ型突条の頂部がほぼ同じ高さになることを特徴とする。
請求項３に記載されたクッション材に係る考案は、請求項２に記載されたクッション材において、カマボコ型突条の中間において軟質ウレタン製平板に分離線を設けたことを特徴とする。
【考案の効果】
【０００５】  本考案は、クッション材において、人体の腰の骨が位置する個所にマッサージ効果増進部Ｂを設けることによりマッサージ効果を増進することができるので、睡眠期間を活用して疲労回復に貢献することができる。
【考案を実施するための最良の形態】
【０００６】  以下、添付図面に従って、本考案の実施の形態を説明する。図１において、第１クッション材Ａ１はマッサージ効果増進部（後に詳述する。）Ｂと通常部Ｃとから成る。第１クッション材Ａ１には多数のカマボコ型突条１、１、・・・が形成されている。カマボコ型突条１の表面には複数個のマッサージ用小突起（いぼ）２、２、・・・が形成されている。マッサージ用小突起２の数及び配置の仕方は人体に適度のマッサージ効果を与えることができるものであればよいが、本実施例においては２個の小突起と３個の小突起が交互に並び、合計７列に配置されている。突条１とマッサージ用小突起２はウレタン製で一体に成形され、その硬度は人体に適度のマッサージ効果を与えることができるものであればよい。
長手方向に配置されている突条１、１同士は連結部３によって連結され、横方向に隣接している突条１、１同士は突条１の長さＬの半分Ｌ／２ずつずれて配置されている。なお、連結部３は、横方向の軸線の周りに作用する曲げモーメントに対抗する作用を有する。【０００７】  図２は、図１のＩＩ−ＩＩ線に沿う断面図の拡大図を示す。右側の通常部Ｃにおける突条１は及び左側の通常部Ｃにおける突条１はウレタン製底板４に接着されている。そして、右側の通常部Ｃの左側の突条１と左側の通常部Ｃの右側の突条１はウレタン製の平板５で連結されている。平板５の上に軟質ウレタン製の平板６を設け、平板６の上にカマボコ製突条７を接着する。マッサージ効果増進部Ｂに体重が加わっていない状態においては、突条７の頂部は突条１の頂部より高さｈだけ高いが、マッサージ効果増進部Ｂに体重が加わると、軟質ウレタン製の平板６は圧縮されて突条７の頂部は突条１の頂部とほぼ等しい高さになる（図３参照）。【０００８】  図４は本考案のクッション材の別の実施例を示す。この実施例においては、突条７、７の境目に当たる軟質ウレタン製平板６の中央に分離線８が入っている。したがって、身体を乗せたとき隣接する突条７、７は独立して自由に上下に浮き沈みすることができる。その他の構成は図２で述べたところと同じである。本実施例と、分離線８が無い実施例（図２）とをくらべてみると、後者の方がやや固く感じる。
本実施例のクッション材の使い方は次のとおりである。図５に示すとおり、クッション材Ａ１、Ａ２、Ａ３を並べて、人間の腰椎（腰の骨）がマッサージ効果増進部Ｂに位置するように配置する。マッサージ効果増進部Ｂに体重が加わると、突条７が沈んで軟質ウレタン製平板６を圧縮する（図３参照）。軟質ウレタン製平板６の内部には上方へ復元しようとする力（復元力）が生じて、この復元力は突条７の表面に形成されたマッサージ用小突起２、２、・・・に伝達されるので、この復元力の分だけマッサージ用小突起２が腰椎を押圧する力が増大し、腰椎に対するマッサージ効果を増進する。【０００９】  クッション材の配置の仕方の１例は次のとおりある。
マッサージ効果増進部Ｂを有するクッション材Ａ１、Ａ３とマッサージ効果増進部Ｂを有しないクッション材Ａ２、Ａ４を図５のとおりに配置した場合、クッション材Ａ１のマッサージ効果増進部Ｂが腰の重量を長期間にわたって支持しているので、軟質ウレタン製平板６の弾性が低下する。クッション材Ａ３のマッサージ効果増進部Ｂは脚を支持しているだけであるので、クッション材Ａ１のマッサージ効果増進部Ｂにくらべると、軟質ウレタン製平板６の弾性は低下していない。
そこで、クッション材を一定期間使用した後に、クッション材Ａ１とクッション材Ａ３の位置を入れ替えると、クッション材Ａ３のマッサージ効果増進部Ｂの軟質ウレタン製平板６が有している弾性により、利用者は快適な感触を体験することができる。
【図面の簡単な説明】
【００１０】
【図１】  本考案のクッション材Ａ１の平面図である。
【図２】  図１のＩＩ−ＩＩ線断面図の拡大図である。
【図３】  図２のクッション材に荷重が加わった場合の図である。
【図４】  本考案のクッション材の別の実施例を示す図である。
【図５】  本考案のクッション材の使い方を示す説明図である。
【符号の説明】
【００１１】１  カマボコ製突条
２  マッサージ用小突起
６  軟質ウレタン製平板
７  カマボコ型突条
８  分離線
ｈ  高さ
Ｂ  マッサージ効果増進部
Ｃ  通常部
Ｌ  カマボコ型突条の長さ
【図１】
0003115978.tif 000003
【図２】
0003115978.tif 000004
【図３】
0003115978.tif 000005
【図４】
0003115978.tif 000006
【図５】
0003115978.tif 000007